【事件の表示】
　平成　９年特許願第１９３５８８号「制御装置、制御方法、電気機器システム、電気機器システムの制御方法、および、記録媒体」拒絶査定不服審判事件〔平成１１年　２月１２日出願公開、特開平１１−　４１５６６、請求項の数（１５）〕について、次のとおり審決する。
【結　論】
　原査定を取り消す。
　本願の発明は、特許すべきものとする。
【理　由】
１．経緯
（１）手続
　本件出願は、平成９年７月１８日の出願であって、平成２０年２月２０日付けで拒絶査定がなされ、これに対し、平成２０年３月２６日に審判請求がなされ、平成２０年４月２５日付けで手続補正（明細書又は図面について請求の日から３０日以内にする補正）がなされたものである。
　
（２）査定
　原査定の理由は、概略、以下のとおりである。
　
　本件出願の請求項１から２３に係る発明は、その出願前日本国内において頒布された下記刊行物に記載された発明に基づいて、その出願前にその発明の属する技術の分野における通常の知識を有する者が容易に発明をすることができたものであるから、特許法第２９条第２項の規定により特許を受けることができない。
　　　　　　　　　　　　　　　　記
　刊行物１：特開平７−１６２８１８号公報
　刊行物２：特開平９−１８２１７３号公報
　刊行物３：特開平８−１９０６３号公報
　刊行物４：特開平８−９８１０１号公報
　
２．補正の適法性
（１）補正の内容
　平成２０年４月２５日付けの手続補正（以下、本件補正という）は、特許請求の範囲を補正する補正であって、請求項１についてする次の補正事項（以下、「本件補正事項」という）を含むものである。
　
　（補正前）
　「【請求項１】　所定の情報処理装置に対して、番組に関する情報である番組情報を要求する情報要求制御信号を送信する送信手段と、
　前記情報要求制御信号に応じて前記情報処理装置から送信されてくる前記番組情報を取得する取得手段と、
　前記取得手段が取得した前記番組情報を表示装置に出力する出力手段と、
　前記表示装置に表示された前記番組情報のなかから所定の番組情報を選択する選択手段と
　を備え、
　前記送信手段は、さらに、前記選択手段により選択された所定の番組情報が表す番組を予約する予約制御信号を、所定の電気機器に送信する
　ことを特徴とする制御装置。」
　を
　（補正後）
　「【請求項１】　所定の情報処理装置に対して、番組に関する情報である番組情報を要求する情報要求制御信号を送信する送信手段と、
　前記情報要求制御信号に応じて前記情報処理装置から送信されてくる前記番組情報を取得する取得手段と、
　前記取得手段が取得した前記番組情報を表示装置に出力する出力手段と、
　前記表示装置に表示された前記番組情報のなかから所定の番組情報を選択する選択手段
と
　を備え、
　前記送信手段は、さらに、前記選択手段により選択された所定の番組情報が表す番組を予約する予約制御信号を、所定の電気機器に送信し、
　前記出力手段は、前記情報処理装置または前記電気機器と通信を行っている間、情報の転送中であることを示す点灯表示も行う
　ことを特徴とする制御装置。」
　と補正する。
　
　上記本件補正事項は、補正前の請求項１の記載に「前記出力手段は、前記情報処理装置または前記電気機器と通信を行っている間、情報の転送中であることを示す点灯表示も行う」という特定事項を付加する補正である。
　
（２）補正の適否
　本件補正事項は、「前記出力手段」を更に「前記情報処理装置または前記電気機器と通信を行っている間、情報の転送中であることを示す点灯表示も行う」と限定するものであり、「番組情報」「予約制御信号」の通信に関する限定であるから、補正後の発明が、その産業上の利用分野、解決しようとする課題を、補正前の発明の産業上の利用分野、解決しようとする課題から逸脱した異なるものとするものとはいえない。したがって、本件補正事項は特許請求の範囲の減縮を目的とすると認められる。そこで、独立特許要件について検討する。
　
　ア．補正後発明
　本件補正後の特許請求の範囲の請求項１に係る発明（以下、「補正後発明」という）は、本件補正後の特許請求の範囲の請求項１に記載されたとおりの次のものであると認める。
　
［補正後発明］
　「所定の情報処理装置に対して、番組に関する情報である番組情報を要求する情報要求制御信号を送信する送信手段と、
　前記情報要求制御信号に応じて前記情報処理装置から送信されてくる前記番組情報を取得する取得手段と、
　前記取得手段が取得した前記番組情報を表示装置に出力する出力手段と、
　前記表示装置に表示された前記番組情報のなかから所定の番組情報を選択する選択手段と
　を備え、
　前記送信手段は、さらに、前記選択手段により選択された所定の番組情報が表す番組を予約する予約制御信号を、所定の電気機器に送信し、
　前記出力手段は、前記情報処理装置または前記電気機器と通信を行っている間、情報の転送中であることを示す点灯表示も行う
　ことを特徴とする制御装置。」
　
　イ．刊行物
　原査定の拒絶理由において引用された特開平７−１６２８１８号公報（以下、「刊行物１」という）には、図面とともに次の記載がある。
　
（刊行物１の記載）
「【０００２】
【従来の技術】テレテキストサービス及び欧州以外におけるそれと等価なものは、テレビジョンの画面にビデオテキストページ、即ち例えばニュース、天気予報、及びテレビプログラムのような幅広い種々の情報を常にカラーで提供する一組のアルファベット文字・数字列を表示することができる。ビデオテキスト信号は、画像及び音声信号と同じ時間に種々のチャネルによって伝送される。ページの数が表示され、それらに含まれる情報は定期的に更新される。」
　
「【００１１】
【実施例】本発明を形成する方法を示す図１に描かれている以下の説明を読むことによって、本発明をより理解でき、また付加的な利点が明確化される。図１は、少なくともチューナー２とテレビジョンがビデオテキストを受信、記憶及び表示できるようにするテレテキスト復号器３とを含むテレビジョンセット１を示している。以下の説明はテレテキストデータに関するが、本発明に係わる方法は、電話によって受信したデータも処理する。」
　
「【００１５】テレビジョン１の遠隔装置６は、少なくとも１つのアンテナとテレビジョン１によって放射された信号を復調する復調器よりなる受信機７を含む。この装置の例は、ＩＣＣ１０組で使用されるシャープのＧＰ１Ｕ５８ＸＹ　ＩＲ受信機である。制御パネル６は、受信機７で受信される全フォーマット化されたテレテキストデータが格納されるメモリをさらに含む。例えば、このＤＲＡＭ型のメモリは、ＡＳＣIIデータを受信或いは送信できる。新たなテレテキストデータが受信される毎に、それらはテレテキスト復号器３によって復号化され、検討されたフォーマットで符号化され、放射器５によって放射され、受信機７によって受信されさらにメモリ８の内容が更新される。」
　
「【００１７】制御装置は、メモリ８に関連して平面画面型の表示装置１０を制御するマイクロプロセッサ９を含んでいる。このマイクロプロセッサは、画面１０上でフォーマットされたデータを表示する。テレテキストデータが符号化されているフォーマットは、少なくともアルファベット文字・数字（好ましくは１行あたり４０文字で２４行）にでなければならない表示を最適化するように選択される。
【００１８】さらに、制御装置は、伝統的な電源、制御信号放射器（通常はＩＲ）、及びテレビジョンセット及びテレテキストページを表示する制御パネル画面のパラメータを制御するための制御キーを備えている。制御パネル画面は、液晶画面或いはプラズマパネルで構成できる。本発明に係わる装置は、以下のプロセスを使用する。
・テレテキストデータは、テレビジョン或いはＶＣＲに設置された或いはそれに接続された受信／復号器装置によって受信および復号される、・変調され、さらにテレビジョンから制御装置へ放射される、・制御装置によって受信され、メモリに格納される、・次に表示装置に表示される。」
　
「【００２１】例えば、彼は他のチャネルのプログラムのリストを表示でき、そのリストは現在テレビジョンの画面で表示されているプログラムを示す行をハイライト化する。彼はまた、現在テレビジョンの画面で表示されているチャネルでのこれから来るプログラムのリストも表示できる。本発明の他の利点は、ソフトウェアがあるタイプのプログラム、例えば、スポーツニュースを含む「スポーツ」のテーマおよびスポーツを扱うこれからのプログラムを選択できる。この場合、各プログラムに関係する符号に対応するワード或いはデータは、メモリに格納されており、ソフトウェアによって認識される。」
　
「【００２６】この分野の専門家はしばしば、この形式の文字／構文の認識機能を伴うマイクロプロセッサを使用する。プログラムに対する識別符号（「表示（showview)　」型）がビデオテキスト信号と同時に伝送される場合、使用者は、選択したプログラムの名前及び出来るならば識別符号が表示されている画面の一部を押すことによって、彼のテレビジョンセット或いはＶＣＲを自動的にプログラムできる。
【００２７】識別符号がビデオテキストと共に伝送されない場合は、テレビジョンセット或いはＶＣＲを自動的にプログラムするために、プログラムに関連しかつプログラムと同じ領域に表示される日時の識別によって適切なアルゴリズムを用いて、マイクロプロセッサが識別符号を作成できる。本発明の他の用途は、プログラムを選択し、現在のプログラムのリストを他のチャネル上に並列に自動的に表示するために、触感の画面を使用することの可能性である。」
（刊行物１の記載、以上）
　
　上記刊行物１の記載によると、
「テレビジョン１の遠隔装置６は、少なくとも１つのアンテナとテレビジョン１によって放射された信号を復調する復調器よりなる受信機７を含む。」（【００１５】）、
とあるから、刊行物１には「テレビジョン１の遠隔装置６」に係る発明が記載されている。
　
「【従来の技術】テレテキストサービス及び欧州以外におけるそれと等価なものは、テレビジョンの画面にビデオテキストページ、即ち例えばニュース、天気予報、及びテレビプログラムのような幅広い種々の情報を常にカラーで提供する一組のアルファベット文字・数字列を表示することができる。」（【０００２】）、
「図１は、少なくともチューナー２とテレビジョンがビデオテキストを受信、記憶及び表示できるようにするテレテキスト復号器３とを含むテレビジョンセット１を示している。」（【００１１】）、
「テレビジョン１の遠隔装置６は、少なくとも１つのアンテナとテレビジョン１によって放射された信号を復調する復調器よりなる受信機７を含む。」（【００１５】）、
「新たなテレテキストデータが受信される毎に、それらはテレテキスト復号器３によって復号化され、検討されたフォーマットで符号化され、放射器５によって放射され、受信機７によって受信されさらにメモリ８の内容が更新される。」（【００１５】）、
「彼はまた、現在テレビジョンの画面で表示されているチャネルでのこれから来るプログラムのリストも表示できる。」（【００２１】）
とあって、
　「これから来るプログラムのリスト」は「テレテキストサービス」で提供され、「受信機７によって受信され」るものと認められるから、遠隔装置６は「テレビジョンセット１」から送信されてくる「プログラムのリスト」を「受信」するということができ、刊行物１記載の「遠隔装置６」は、「テレビジョンセット１」から送信されてくる「プログラムのリスト」を「受信」するものと認められる。
　
「制御装置は、メモリ８に関連して平面画面型の表示装置１０を制御するマイクロプロセッサ９を含んでいる。このマイクロプロセッサは、画面１０上でフォーマットされたデータを表示する。」（【００１７】）、
「彼はまた、現在テレビジョンの画面で表示されているチャネルでのこれから来るプログラムのリストも表示できる。」（【００２１】）
とあるから、
　遠隔装置６は、受信した「プログラムのリスト」を「表示装置１０」に「表示」すると認められ、
　刊行物１記載の「遠隔装置６」は、受信した「プログラムのリスト」を「表示装置１０」に「表示」するものと認められる。
　
「プログラムに対する識別符号（「表示（showview)」型）がビデオテキスト信号と同時に伝送される場合、使用者は、選択したプログラムの名前及び出来るならば識別符号が表示されている画面の一部を押すことによって、彼のテレビジョンセット或いはＶＣＲを自動的にプログラムできる。」（【００２６】）
とあるから、
　刊行物１記載の「遠隔装置６」は、「選択したプログラムの名前及び出来るならば識別符号が表示されている画面の一部を押すことによって」「ＶＣＲを自動的にプログラム」するものと認められる。
　
　上記刊行物１の記載によると、刊行物１には次の発明（以下、「刊行物１発明」という）が記載されている。
　
　［刊行物１発明］
　「テレビジョンセット１から送信されてくるプログラムのリストを受信し、受信したプログラムのリストを表示装置１０に表示し、プログラムの名前及び識別符号が表示されている画面の一部を押すことによって、ＶＣＲを自動的にプログラムする、テレビジョンセット１の遠隔装置６。」
　
　ウ．対比、一致点相違点
　補正後発明と刊行物１発明とを対比する。
　
　（ア）「制御装置」
　　刊行物１発明の「テレビジョンセット１の遠隔装置６」は、テレビジョンセットを遠隔制御するものといえ、また、ＶＣＲを自動的にプログラムすることから、「制御装置」といい得るものであり、補正後発明の「制御装置」に相当する。
　　したがって、補正後発明と刊行物１発明とは「制御装置」である点で一致する。
　
　（イ）「所定の情報処理装置に対して、番組に関する情報である番組情報を要求する情報要求制御信号を送信する送信手段と、前記情報要求制御信号に応じて前記情報処理装置から送信されてくる前記番組情報を取得する取得手段」
　
　　刊行物１発明は「テレビジョンセット１から送信されてくるプログラムのリストを受信」するものであり、プログラムのリストを取得するといえ、取得するから当然に取得手段を有するといえる。
　　そして、刊行物１発明の「テレビジョンセット１」は、「新たなテレテキストデータが受信される毎に、それらはテレテキスト復号器３によって復号化され、検討されたフォーマットで符号化され、放射器５によって放射」するものであって、情報処理するものということができ、補正後発明の「情報処理装置」に相当する。また、刊行物１発明の「プログラムのリスト」は補正後発明の「番組情報」に相当する。
　　よって、補正後発明と刊行物１発明とは、「情報処理装置から送信されてくる番組情報を取得する取得手段」を備える点で一致する。
　　もっとも、補正後発明は、「所定の情報処理装置に対して、番組に関する情報である番組情報を要求する情報要求制御信号を送信する送信手段」を備え、「取得手段」が取得する「情報処理装置から送信されてくる番組情報」は、「前記情報要求制御信号に応じて」「送信されてくる」ものであるのに対し、刊行物１発明は、そのような送信手段を備えず、また、番組情報は情報要求制御信号に応じて送信されてくるものではない点で相違する。
　
　（ウ）「前記取得手段が取得した前記番組情報を表示装置に出力する出力手段」
　
　　刊行物１発明は、「受信したプログラムのリストを表示装置１０に表示」するものであり、表示装置に表示するから当然に表示装置に出力する出力手段を有するといえる。
　　よって、補正後発明と刊行物１発明とは、「前記取得手段が取得した前記番組情報を表示装置に出力する出力手段」を備える点で一致する。
　
　（エ）「前記表示装置に表示された前記番組情報のなかから所定の番組情報を選択する選択手段」
　
　　刊行物１発明の遠隔装置は、「受信したプログラムのリストを表示装置１０に表示」するものであるところ、表示されるプログラムのリストは、プログラムの名前及び識別符号を含む（「プログラムに対する識別符号（「表示（showview)　」型）がビデオテキスト信号と同時に伝送される場合、使用者は、選択したプログラムの名前及び出来るならば識別符号が表示されている画面・・」（【００２６】））ものであり、刊行物１発明の「選択したプログラムの名前及び識別符号」は補正後発明の「所定の番組情報」に相当する。また、刊行物１発明において、「プログラムの名前及び識別符号が表示されている画面の一部を押すこと」は「所定の番組情報を選択する」ことといえ、選択するから当然に選択手段を有するといえる。
　　よって、補正後発明と刊行物１発明とは、「前記表示装置に表示された前記番組情報のなかから所定の番組情報を選択する選択手段」を備える点で一致する。
　
　（オ）「前記送信手段は、さらに、前記選択手段により選択された所定の番組情報が表す番組を予約する予約制御信号を、所定の電気機器に送信し」
　
　　刊行物１発明は、「プログラムの名前及び識別符号が表示されている画面の一部を押すことによって、ＶＣＲを自動的にプログラムする」ものである。
　　ここで、「プログラムの名前及び識別符号が表示されている画面の一部を押すこと」は上記したように「所定の番組情報を選択する」ことといえ、そのプログラムは当然に有するといえる選択手段によって選択する「所定の番組情報」が表す番組といえる。
　　また、「ＶＣＲ」は補正後発明の「所定の電気機器」に相当するといえ、「ＶＣＲを自動的にプログラムする」ことは、ＶＣＲに対して録画する番組を予約することであるということができる。
　　よって、補正後発明と刊行物１発明とは、「前記選択手段により選択された所定の番組情報が表す番組を」「所定の電気機器」に「予約する」「制御装置」である点で一致する。
　　もっとも、刊行物１発明は、上記したように、「所定の情報処理装置に対して、番組に関する情報である番組情報を要求する情報要求制御信号を送信する送信手段」を備えず、その「送信手段」が「さらに」「予約制御信号を、所定の電気機器に送信」することで上記「予約」を行うものではないから、補正後発明では、「前記送信手段は、さらに、・・予約制御信号を、所定の電気機器に送信（し）」するものであるのに対し、刊行物１発明は、そうではない点で相違する。
　
　（カ）「前記出力手段は、前記情報処理装置または前記電気機器と通信を行っている間、情報の転送中であることを示す点灯表示も行う」
　
　　補正後発明では、「前記出力手段は、前記情報処理装置または前記電気機器と通信を行っている間、情報の転送中であることを示す点灯表示も行う」のに対し、刊行物１発明では、そうではない点で相違する。
　
　以上の対比によると、補正後発明と刊行物１発明との一致点、相違点は次のとおりである。
　
［一致点］
「情報処理装置から送信されてくる番組情報を取得する取得手段と、
　前記取得手段が取得した前記番組情報を表示装置に出力する出力手段と、
　前記表示装置に表示された前記番組情報のなかから所定の番組情報を選択する選択手段
と
　を備え、
　前記選択手段により選択された所定の番組情報が表す番組を所定の電気機器に予約する、
　ことを特徴とする制御装置。」
　
［相違点１］
　補正後発明は、「所定の情報処理装置に対して、番組に関する情報である番組情報を要求する情報要求制御信号を送信する送信手段」を備え、「取得手段」が取得する「情報処理装置から送信されてくる番組情報」は、「前記情報要求制御信号に応じて」「送信されてくる」ものであるのに対し、刊行物１発明は、そのような送信手段を備えず、また、番組情報は情報要求制御信号に応じて送信されてくるものではない点。
　
［相違点２］
　補正後発明では、「前記送信手段は、さらに、・・予約制御信号を、所定の電気機器に送信（し）」するものであるのに対し、刊行物１発明は、そうではない点。
　
［相違点３］
　補正後発明では、「前記出力手段は、前記情報処理装置または前記電気機器と通信を行っている間、情報の転送中であることを示す点灯表示も行う」のに対し、刊行物1発明では、そうではない点。
　
　エ．判断
　（ア）相違点１について
　　刊行物１のテレビジョン１の遠隔装置６は、「制御装置は、伝統的な電源、制御信号放射器（通常はＩＲ）、及びテレビジョンセット及びテレテキストページを表示する制御パネル画面のパラメータを制御するための制御キーを備えている。」（【００１８】）ように、いわゆるリモコンとしてテレビジョン１に制御指令を出す送信手段を有するものである。
　　刊行物１発明では、「テレビジョンセット１（情報処理装置）から送信されてくるプログラムのリスト（番組情報）を受信」、すなわち、「取得」している。刊行物１におけるこの「受信」、すなわち、「取得」は、「新たなテレテキストデータが受信される毎に、それらはテレテキスト復号器３によって復号化され、検討されたフォーマットで符号化され、放射器５によって放射され、受信機７によって受信されさらにメモリ８の内容が更新される。」（【００１５】）ものであり、「新たな」ものへの「更新」のために行われている。
　　一般に、情報を取得するに当たって要求することは、ごく普通に行われることであるとともに、下記刊行物３には、
「上記のサービスセンタ１は、テレビ欄情報のデータベースを備えている。このデータベースは、数週間先、例えば２週間先まで放送予定の番組名、日付、チャンネル、時間等からなるテレビ番組表に関するデータを記憶しており、日付の経過又は番組変更に伴い常時更新される。この更新された最新のテレビ番組情報は、毎日一定周期で又は会員通信端末４からの要望に基づいてネットワーク２および無線局３を介して送信される。」（【００１２】）、
「上記の実施例では、サービスセンタ１は一定周期でテレビ番組情報を送信し、通信端末４はその送信を常時自動的に受信するようにしているが、例えば通信端末４をＩＤ番号による会員制とし、通信端末４からのテレビ番組情報の送信要求に基づいて、サービスセンタ１から上記ＩＤ番号を指定して本日以降数週間分のテレビ番組情報を送信するようにしてもよい。」（【００４３】）
とあって、テレビ番組情報を更新するにあたり、「常時自動的に受信するようにしているが、・・・通信端末４からのテレビ番組情報の送信要求に基づいて、テレビ番組情報を送信するようにしてもよい。」（【００４３】）ことが記載されていることから、
　　刊行物１のテレビジョン１の遠隔装置６のリモコンとしてテレビジョン１に制御指令を出す送信手段を用いて、プログラムのリスト（番組情報）を要求する指令を出すことで、その更新を行おうとすることは、当業者であれば容易に想到できることといえる。
　　したがって、刊行物１発明の遠隔装置６（制御装置）に、「所定の情報処理装置に対して、番組に関する情報である番組情報を要求する情報要求制御信号を送信する送信手段」を備えるようにすることは、当業者が容易に想到できることといえる。そして、そうすることで、「取得手段」が取得する「情報処理装置から送信されてくる番組情報」は、「前記情報要求制御信号に応じて」「送信されてくる」ものとなる。
　　よって、刊行物１発明に「所定の情報処理装置に対して、番組に関する情報である番組情報を要求する情報要求制御信号を送信する送信手段」を備え、「取得手段」が取得する「情報処理装置から送信されてくる番組情報」を「前記情報要求制御信号に応じて」「送信されてくる」ものとすることで、補正後発明の相違点１に係る構成とすることは、当業者が容易に想到できることといえる。
　
　（イ）相違点２について
　　刊行物１発明の遠隔装置６（制御装置）は、選択手段により選択された所定の番組情報が表す番組を、所定の電気機器に予約するといえるものであるが、制御装置から予約制御信号を所定の電気機器に送信することは、下記の周知例（刊行物２）の記載のように周知の事項であるとともに、
　　刊行物１の段落【００１８】に、「制御装置は、伝統的な電源、制御信号放射器（通常はＩＲ）・・・を備えている。・・・テレテキストデータは、テレビジョン或いはＶＣＲに設置された或いはそれに接続された受信／復号器装置によって受信および復号される、・・・」とあって、「制御信号放射器（通常はＩＲ）」で「ＶＣＲに設置された・・受信／復号器装置」と通信することが示唆されていることから、
　　刊行物１のテレビジョン１の遠隔装置６のリモコンとしてテレビジョン１に制御指令を出す送信手段を用いて、予約制御信号をＶＣＲに送信すること、すなわち、「送信手段は、・・予約制御信号を、所定の電気機器に送信（し）」するものとすることは、当業者が容易に想到できることといえる。そして、そうすることで、上記相違点１に関して、「所定の情報処理装置に対して、番組に関する情報である番組情報を要求する情報要求制御信号を送信する送信手段」とした遠隔装置６のリモコンとしてテレビジョン１に制御指令を出す送信手段を「予約制御信号を、所定の電気機器に送信（し）」するものとして、「前記送信手段は、さらに、」とすることも同時に容易に想到できるといえる。
　　したがって、刊行物１発明を「前記送信手段は、さらに、・・予約制御信号を、所定の電気機器に送信（し）」するものとすることで、補正後発明の相違点２に係る構成とすることは、当業者が容易に想到できることといえる。
　
　（ウ）相違点３について
　　本願の発明の詳細な説明の、
「ＬＥＤ（Light　Emitting　Diode）１００は、電気機器との間で情報通信がなされている場合に点灯され、情報通信中にユーザがリモコン１を電気機器（パーソナルコンピュータ３、テレビジョン受像機９、または、ＶＴＲ１３）から外れた方向に向けて通信が不能となることを防止するようになされている。」（【００２７】）、
「ステップＳ２では、ＣＰＵ１ａは、ＬＥＤ１００を点灯し、情報を転送中であることを示す。そして、ステップＳ３に進む。」（【００６１】）、
「テレビジョン受像機９のＣＰＵ９ａは、赤外線送受信部１０が受信した制御信号に応じて、ＴＶチューナ９ｅにより受信されているＥＰＧを、ＲＡＭ９ｃなどに一旦格納した後、赤外線送受信部１０を介してリモコン１に対して送信する。」（【００６２】）、
「図７に戻って、ステップＳ４では、リモコン１のＣＰＵ１ａは、受信したＥＰＧをＲＡＭ１ｃの所定の領域に格納する。そして、全てのＥＰＧの格納が終了すると、ステップＳ５に進む。」（【００６８】）、
「ステップＳ５では、ＣＰＵ１ａは、ＬＥＤ１００を消灯させ、情報の転送が終了したことを示す。そして、ステップＳ６に進む。」（【００６９】）、
との記載を参酌するに、補正後発明の「点灯表示」は、「情報処理装置」に対して「情報要求制御信号」を「送信」し、「情報処理装置」から「番組情報」を「取得」する間、行われるものと解され、補正後発明の「情報処理装置と通信と行っている間」は、「情報処理装置」に対して「情報要求制御信号」を「送信」し、「情報処理装置」から「番組情報」を「取得」する間を意味するものと解される。
　
　　下記周知例、刊行物５及び６は、制御装置において、情報の送信中に、情報の送信中であることを示す点灯表示を行うものであり、制御装置において情報を取得するという発想や、情報処理装置に情報を送信し、情報処理装置から情報を取得する間、情報の転送中であることを示す点灯表示を行うという構成については、記載も示唆もされていない。
　　また、下記の周知例の記載のとおり、刊行物７は、転送装置において、情報の送信中及び受信中に、情報の送信中及び受信中であることを示す点灯表示を行うものであるが、刊行物７は、制御装置において情報を送受信するという発想や、情報処理装置に情報を送信し、情報処理装置から情報を取得する間、情報の転送中であることを示す点灯表示を行うという構成については、記載も示唆もされていない。
　　以上によれば、刊行物５ないし７からは、送信中及び受信中であることを示す点灯表示は記載されているといえても「前記情報処理装置または前記電気機器と通信を行っている間、情報の転送中であることを示す点灯表示も行う」補正後発明の構成については、記載も示唆もされていない。そして、補正後発明はこの構成により、「情報処理装置」に対して「情報要求制御信号」を「送信」し、「情報処理装置」から「番組情報」を「取得」する間、すなわち、「前記情報処理装置または前記電気機器と通信を行っている間、」ユーザがリモコン１を電気機器（パーソナルコンピュータ３、テレビジョン受像機９、または、ＶＴＲ１３）から外れた方向に向けて通信が不能」となり、「情報処理装置」から「番組情報」を「取得」することが不能になることを防止する効果を奏するものである。
　　したがって、刊行物１発明において、情報処理装置または電気機器と通信を行っている間、情報の転送中であることを示す点灯表示も行う構成とすることは、当業者が容易に想到できるとはいえない。
　
（周知例の記載）
・刊行物２（特開平９−１８２１７３号公報）（原査定の拒絶理由において引用された刊行物２）
「ユーザにより表示部２４に表示されている５個の番組のいずれかを指定する透明キー４が操作された場合には、情報メモリ３２にそのテレビ番組名に対応して記憶されているＧコードを読み出し、そのＧコードを送信部２５に出力して送信部２５からビデオデッキにそのＧコードを送信させる（Ｓ３５）。」（【００３５】）、
とあり、制御装置から予約制御信号を所定の電気機器に送信している。
　
・刊行物３（特開平８−１９０６３号公報）（原査定の拒絶理由において引用された刊行物３）
「上記のサービスセンタ１は、テレビ欄情報のデータベースを備えている。このデータベースは、数週間先、例えば２週間先まで放送予定の番組名、日付、チャンネル、時間等からなるテレビ番組表に関するデータを記憶しており、日付の経過又は番組変更に伴い常時更新される。この更新された最新のテレビ番組情報は、毎日一定周期で又は会員通信端末４からの要望に基づいてネットワーク２および無線局３を介して送信される。」（【００１２】）、
「同図において、アンテナ１１は無線局から送信された無線信号たとえば番組情報を受信したり、無線局に発信信号たとえば所望の番組情報を要求する送信を行うアンテナである。」（【００１６】）、
「上記の実施例では、サービスセンタ１は一定周期でテレビ番組情報を送信し、通信端末４はその送信を常時自動的に受信するようにしているが、例えば通信端末４をＩＤ番号による会員制とし、通信端末４からのテレビ番組情報の送信要求に基づいて、サービスセンタ１から上記ＩＤ番号を指定して本日以降数週間分のテレビ番組情報を送信するようにしてもよい。」（【００４３】）、
とあり、
　所定の情報処理装置から番組情報を取得するに当たり、所定の情報処理装置に対して、番組に関する情報である番組情報を要求する情報要求制御信号を送信する送信手段を備え、前記情報要求制御信号に応じて所定の情報処理装置から番組情報を取得している。
　
・刊行物５（特開昭６１−６６４７７号公報）（前置報告で周知例として引用された刊行物５）
「この装置の動作は、入力用マトリクスキー１の押下操作により、コントロール情報送信回路２にキー選択情報が入力され、送信信号が送信ドライバ回路４を経て送信用赤外ホトダイオード５からリモートコントロール情報が送出され、同時に送信中表示ＬＥＤ３が発光する。」（第３頁左上欄第１９行−右上欄第２行）、
とあり、
制御装置において、情報の送信中に、情報の送信中であることを示す点灯表示を行っている。
　
・刊行物６（特開平７−１０１３１４号公報）（前置報告で周知例として引用された刊行物６）
「この変調信号は発光回路３５にて赤外線に変換され送出される。この時、同時にＬＥＤ３８が点灯し、変調信号が送信中であることを表示する。」（【０００５】）、
とあり、
制御装置において、情報の送信中に、情報の送信中であることを示す点灯表示を行っている。
　
・刊行物７（特開平８−３３５０９０号公報）（前置報告で周知例として引用された刊行物7）
「なお、音声データ転送装置２がデジタルＩＣレコーダ１から音声データを受信するとき及びパソコン４へ音声データを送信するときは表示部７の発光ダイオードが点灯して受信中または送信中である旨の表示を行なう。」（【００２９】）、
とあり、
転送装置において、情報の送信中及び受信中に、情報の送信中及び受信中であることを示す点灯表示を行っている。
（周知例の記載、以上）
　
　（エ）総合
　　以上のように、補正後発明の相違点３に係る構成は当業者が容易に想到できるとはいえないから、補正後発明は、刊行物１に記載された発明に基づいて当業者が容易に発明をすることができたものということはできない。
　
　オ．補正の適否まとめ
　以上のとおりであるから、平成２０年４月２５日付けの手続補正で補正する補正後の請求項１に係る発明は、特許出願の際独立して特許を受けることができないということはできない。
　また、他に、平成２０年４月２５日付けの手続補正で補正する補正後の請求項１ないし１５に係る発明が特許出願の際独立して特許を受けることができないとする理由もない。
　したがって、平成２０年４月２５日付けの手続補正が不適法になされたものということはできない。
　
３．本願発明および判断
　以上のように、平成２０年４月２５日付けの手続補正が不適法になされたものということはできないから、本件出願の請求項１ないし１５に係る発明は、平成２０年４月２５日付けで補正された特許請求の範囲の請求項１ないし１５に記載されたとおりのものであり、刊行物１ないし４に記載された発明に基づいて当業者が容易に発明することができたものということはできない。
　よって、原査定の理由によっては、本願を拒絶することはできない。
　
４．むすび
　以上のとおり、本願は原査定の理由によっては拒絶することはできない。
　また、他に、本願を拒絶すべき理由を発見しない。
　よって、結論のとおり審決する。